(57)【要約】      （修正有）【課題】簡単かつ楽に長さを調節できる杖の伸縮調節構造を提供する。【解決手段】外管２０と、内管１０と、連動棒３０と、プッシュ部材４０とを含む杖の伸縮調節構造であって、上記構造によって、該杖はバネの弾力性によって連動棒３０が常に拡張部５０とプッシュ部材４０とを引っ張り、弾力ソケット５４が拡張されて外管２０の雌ネジ２３に接触することで、外管２０と内管１０の長さが固定される。使用者は、直接力で内管１０及び外管２０を外へ伸ばせ、内管１０が直接プッシュ部材４０を連動して拡張部５０より離れ、弾力ソケット５４は外管２０の雌ネジ２３に当たることがなくなり、外管２０と内管１０をスムーズに伸ばすことができる。また、使用者は、杖の長さを短くしたい時、制御部材６０を操作して拡張部５０の拡張片５３を連動させてプッシュ部材４０の円錐形表面４１より離すことで、外管２０と内管１０の無圧力状態が形成され、簡単かつ楽に長さの調節を行うことができ、利便性が高くなる。【選択図】図２
0003199705.tif 000002
【実用新案登録請求の範囲】
【請求項１】
内管と、外管と、連動棒と、プッシュ部材と、拡張部とを含む杖の伸縮調節構造であって、
内管は、一端にグリップが連結され、もう一端の外縁には突起部が形成され、また該グリップの近くに制御部材が設置され、
外管は、一端に滑り止めパッドが取り付けられ、もう一端にはストッパーが固定され、該ストッパーの内縁には支持部が設けられ、外管が内管に挿入されることによって、ストッパーの支持部が内管の突起部に当たって外れなくなり、また該外管の内表面に雌ネジが形成され、
連動棒は、一端が制御部材に連結され、もう一端が外管へ貫通しネジ部が形成され、該連動棒の中間部に支えパッドが設けられ、
プッシュ部材には、一端に円錐状表面が形成され、もう一端に連結部が設けられ、連結部によって内管の突起部がある一端の開口部に固定され、また該プッシュ部材には穴が設けられ、連動棒のネジ部が穴に貫通し、また該プッシュ部材と支えパッドの間にバネが設けられ、
拡張部には、軸穴が設けられ、軸穴によって連動棒のネジ部がある一端に取り付けられ、またナットをネジ部にネジ固定されることによって拡張部とプッシュ部材が位置限定され、該拡張部はプッシュ部材の方向に伸びて連動棒を囲むような複数の拡張片を形成し、拡張片の末端の外縁には弾力ソケットが取り付けられ、プッシュ部材の円錐形表面と拡張片が互いに押し合うことを利用して、弾力ソケットが外管の雌ネジに当たって、外管と内管の長さを固定させる杖の伸縮調節構造。
【請求項２】
該拡張部は、それぞれの拡張片に第一リング片と第二リング片とが形成され、第一リング片と第二リング片とによって弾力ソケットへと位置限定されることを特徴とする請求項１の杖の伸縮調節構造。
【請求項３】
該プッシュ部材の中間部には表面へ突起するリング部があり、リング部が内管の管口部に当たることを特徴とする請求項１の杖の伸縮調節構造。
【請求項４】
該プッシュ部材の連結部には複数の軸方向の凹溝が設けられ、該プッシュ部材は連結部によって内管に当たり、そして軸方向の凹溝によって連結部の押し付け変形量を高めることを特徴とする請求項１の杖の伸縮調節構造。
【請求項５】
該グリップには貫通孔が設けられ、また該制御部材の一端にハット部が形成され、反対端より貫通孔に挿し込まれて連動棒とネジ固定され、制御部材が押し込み方式で該連動棒を押すことを特徴とする請求項１の杖の伸縮調節構造。
【請求項６】
該内管はグリップに近い一端に溝を設け、該制御部材は栓と、ソケットと、柄とを含み、該栓と連動棒とはネジで固定され、該柄は鞘によってソケットへ枢設され、またソケットが内管の溝の位置に取り付けられることによって、柄の一端が溝へと挿し込まれて栓に当たることで、柄がレバー式で該連動棒を動かせることを特徴とする請求項１の杖の伸縮調節構造。
【考案の詳細な説明】
【技術分野】
【０００１】
本考案は、杖の構造に関し、特に簡単かつ楽に長さを調節できる杖の伸縮調節構造に関する。
【背景技術】
【０００２】
従来の杖の伸縮調節構造は図１０、１１のように、杖には主軸と支軸があり、該主軸と支軸が重なる部位に伸縮位置決め構造が設けられる。該伸縮位置決め構造はスリーブと拡張作動部を含み、該スリーブを支軸に挿し込んで密着状態になる。スリーブの表面に雄ネジ部が形成され、該拡張作動部のもう一端は筒状でスリーブの雄ネジ部にネジ止めされる。また該拡張作動部の底部には弾性爪部が設けられ、該スリーブは円錐形台座に挿し込まれる。そして、該スリーブには円錐形台座の底部を支えるための支持部が設けられる。また該円錐形台座は拡張作動部の弾性爪部と斜めに当たる状態になるため、該拡張作動部の弾性爪部が外向けに開かれることで、主軸の内壁にしっかり当たって定位置状態に達する。杖の長さを調節したい時、使用者が該支軸を回すことでスリーブと円錐形台座が連動して回り、該スリーブの雄ネジ部と拡張作動部の雄ネジ締めが位置移動することによって、拡張作動部と円錐形台座の締りと緩みの変化が制御できるため長さを調節する目的が達成できる。しかし、上述の従来構造にはまだ不足な部分が存在することは容易に気付くことである。
【０００３】
主な原因は以下の通りである。（一）該杖はスリーブの雄ネジ部のネジ止めによって、円錐形台座は拡張作動部を広げられるため、拡張作動部の弾性爪部はしっかり主軸の内壁に当てられる。もし応力強度を高めたい場合、スリーブが拡張作動部に対してより強い力で押し付ける必要があり、ネジ止めする回転抵抗が大きすぎるため、操作が大変な状況であることは明らかである。また、主軸に力を加える時、該拡張作動部はスリーブの雄ネジにより密着するため、拡張作動部とスリーブの固着になりやすく、使用者が支軸を回しにくくなり、操作が大変な欠点が存在する。
【０００４】
（二）該スリーブの雄ネジ部と拡張作動部は回転する方式で長さの調節を行わなければならない。また該支軸の外表面はスムーズであるため、使用者が支軸を回す際に握りにくい。該支軸を回転方式で長さを調節するスピードが遅く、状況に合わせて速やかに杖の長さを変化させることができないため、使用操作上に不便が生じる。
【０００５】
（三）該拡張作動部はプラスチック製の弾性爪部によって主軸のスムーズな内壁に当たるため、弾性爪部と主軸の内壁の摩擦抵抗力が相対的に小さく、拡張作動部と主軸間の応力強度の不足によって、滑り抜ける状況が生じやすく、歩行を補助する際の危険性が生じる。
本考案者はこれらに鑑み、長年に関係商品の製造開発と設計に携わった経験に基づいて緻密に設計し、慎重に評価した結果、実用性がある本考案を得た。
【考案の概要】
【考案が解決しようとする課題】
【０００６】
本考案は現在の技術に存在する上述の欠点について解決し、杖の伸縮調節構造を提供する。
【課題を解決するための手段】
【０００７】
本考案は杖の伸縮調節構造を提供する。内管の一端にはグリップが連結され、また該内管のもう一端の外縁に突起部が形成され、また該グリップの近くに制御部材が設置される。該グリップには貫通孔が設けられ、また該制御部材の一端にハット部が形成され、反対端より貫通孔に挿し込まれる。外管の一端には滑り止めパッドが設けられ、また該外管のもう一端にはストッパーが固定され、ストッパーの内縁には支持部が設けられ、外管より内管に取り付けることで、ストッパーの支持部が内管の突起部に当たって外れなくなる。また該外管の内表面に雌ネジが形成され、連動棒の一端は制御部材に連結され、該制御部材と連動棒はネジ固定されるため、制御部材は押さえる方式で該連動棒を動かせる。連動棒のもう一端を外管へ貫通させてネジ部が形成され、また該連動棒の中間部に支えパッドが設けられる。プッシュ部材の一端に円錐状表面が形成され、また該プッシュ部材のもう一端に連結部が設けられ、連結部によって内管の突起部がある一端の開口部に固定される。また該プッシュ部材の連結部には複数の軸方向凹溝が設けられ、該プッシュ部材は連結部によって内管に当たり、そして軸方向の凹み溝によって連結部の押し付け変形量を高める。該プッシュ部材の中間部には表面へ突起するリング部があり、リング部が内管の管口部に当たることを利用して、プッシュ部材を安定的に内管の一端に固定する。また該プッシュ部材には穴が設けられ、連動棒のネジ部が穴に貫通できるようにする。また、該プッシュ部材と支えパッドの間にバネが設けられる。拡張部には軸穴が設けられ、該拡張部は軸穴によって連動棒のネジ部がある一端に取り付けられ、またナットをネジ部にネジ止めすることによって拡張部とプッシュ部材が位置限定される。また該拡張部はプッシュ部材の方向に向かって伸びて連動棒を囲むような複数の拡張片を形成し、拡張片の末端の外縁には弾力ソケットが取り付けられる。また該拡張部は拡張片のすべての場所に第一リング片と第二リング片が形成され、第一リング片と第二リング片によって弾力ソケットが位置限定される。
【０００８】
その中で、該内管はグリップに近い一端に溝を設け、該制御部材は栓、ソケット、と柄を含み、該栓と連動棒はネジ固定される。該柄は鞘によってソケットに枢設される。またソケットが内管の溝の位置に取り付けられることによって、柄の一端が溝へ挿し込まれて栓に当たることで、柄がレバー式で該連動棒を動かせる。
【考案の効果】
【０００９】
本考案の第一の目的は、該杖はバネの弾力性によって連動棒が常に拡張部とプッシュ部材を引っ張り、弾力ソケットが拡張されて外管の雌ネジに接触することで、外管と内管の長さが固定される。使用者が杖を長くしたい時、使用者が直接に力を掛けることで内管及び外管を外へと伸ばし、内管が直接にプッシュ部材を連動して拡張部より離れ、弾力ソケットは外管の雌ネジに当たることなく、外管と内管をスムーズに伸ばせる。また、杖の長さを短くしたい時、使用者が制御部材を操作して拡張部の拡張片を連動してプッシュ部材の円錐形表面より離れ、外管と内管の無圧力状態が形成され、簡単にかつ楽に長さの調節を行うことにより、利便性が高められる。
【００１０】
本考案の他の目的は、該杖はバネの弾力性によってプッシュ部材と連動棒の支えパッドを押し付けることによって、拡張部は拡張片で該プッシュ部材円錐形表面を押し付けさせることである。また円錐形表面によって拡張片を外へ向けて拡張させて、弾力ソケットを外管の雌ネジに接触させる。使用者が杖で歩行を補助する場合、内管がプッシュ部材を連動して拡張部に押し付け、プッシュ部材は拡張部の拡張片をより押し開らく。即ちより多くの力をグリップに掛けたら、弾力ソケットと雌ネジ間の密着度が上がり、更に雌ネジのざらざらした紋様と弾力ソケットの本体の弾力性によって、雌ネジと弾力ソケット間の摩擦抵抗力が有効に増加し、外管と内管の結合強度が高められ、補助安全性が高められる。
【００１１】
本考案の他の目的は、該杖はバネの弾力性によって連動棒が常に拡張部とプッシュ部材を引っ張り、弾力ソケットが拡張されて外管の雌ネジに接触することで、外管と内管の長さが固定される。プッシュ部材の円錐形表面は軸方向において該拡張片より離れるため、拡張片と弾力ソケット自身の収縮する弾力性に合わせて、使用者が容易に制御部材を操作でき、簡単にかつ楽に長さの調節を行うことにより、利便性が高められる。
【図面の簡単な説明】
【００１２】
【図１】図１は、本考案の杖の伸縮調節構造を示す立体図である。
【図２】図２は、本考案の杖の伸縮調節構造を示す立体分解図である。
【図３】図３は、本考案の杖の伸縮調節構造を示す断面図である。
【図４】図４は、本考案の杖の伸縮調節構造における図３の局部拡大図である。
【図５】図５は、本考案の杖の伸縮調節構造が伸びる動作を示す図である。
【図６】図６は、本考案の杖の伸縮調節構造が縮む動作を示す図である。
【図７】図７は、本考案の杖の伸縮調節構造における図６の局部拡大図である。
【図８】図８は、本考案の杖の伸縮調節構造が別の実施例における外観立体図である。
【図９】図９は、本考案の杖の伸縮調節構造が別の実施例における断面図である。
【図１０】図１０は、従来の杖の伸縮調節構造の立体分解図である。
【図１１】図１１は、従来の杖の伸縮調節構造の断面図である。
【考案を実施するための形態】
【００１３】
まず、図１及び図２に示すように、杖の伸縮調節構造は、内管（１０）と、外管（２０）と、連動棒（３０）と、プッシュ部材（４０）と、拡張部（５０）とを含む。内管（１０）の一端にはグリップ（１１）が連結され、また該内管（１０）のもう一端の外縁に突起部（１２）が形成され、また該グリップ（１１）の近くに制御部材（６０）が設置される。該グリップ（１１）には貫通孔（１１１）が設けられ、また該制御部材（６０）の一端にハット部（６０１）が形成され、反対端より貫通孔（１１１）に挿し込まれる。外管（２０）の一端には滑り止めパッド（２１）が設けられ、また該外管（２０）のもう一端にはストッパー（２２）が固定され、ストッパー（２２）の内縁には支持部（２２１）が設けられ、外管（２０）が内管（１０）に挿入されることで、ストッパー（２２）の支持部（２２１）が内管（１０）の突起部（１２）に当たって外れなくなる。また該外管（２０）の内表面に雌ネジ（２３）が形成される。連動棒（３０）の一端は制御部材（６０）に連結され、該制御部材（６０）と連動棒（３０）はネジ固定されるため、制御部材（６０）は押さえる方式で該連動棒（３０）を動かせる。連動棒（３０）のもう一端を外管（２０）へ貫通させてネジ部（３１）が形成され、また該連動棒（３０）の中間部に支えパッド（３２）が設けられる。プッシュ部材（４０）の一端に円錐状表面（４１）が形成され、また該プッシュ部材（４０）のもう一端に連結部（４２）が設けられ、連結部（４２）によって内管（１０）の突起部（１２）がある一端の開口部に固定される。また該プッシュ部材（４０）の連結部（４２）には複数の軸方向の凹溝（４２１）が設けられ、該プッシュ部材（４０）は連結部（４２）によって内管（１０）に当たり、そして軸方向の凹溝（４２１）によって連結部（４２）の押し付け変形量を高める。該プッシュ部材（４０）の中間部には表面へ突起するリング部（４３）があり、リング部（４３）が内管（１０）の管口部に当たることを利用して、プッシュ部材（４０）を安定的に内管（１０）の一端に固定する。また該プッシュ部材（４０）には穴（４４）が設けられ、連動棒（３０）のネジ部（３１）が穴（４４）に貫通できるようにする。また、該プッシュ部材（４０）と支えパッド（３２）の間にバネ（４５）が設けられる。拡張部（５０）には軸穴（５１）が設けられ、該拡張部（５０）は軸穴（５１）によって連動棒（３０）のネジ部（３１）がある一端に取り付けられ、またナット（５２）をネジ部（３１）にネジ止めすることによって拡張部（５０）とプッシュ部分（４０）が位置限定される。また該拡張部分（５０）はプッシュ部分（４０）の方向に伸びて連動棒（３０）を囲むような複数の拡張片（５３）を形成し、拡張片（５３）の末端の外縁には弾力ソケット（５４）が取り付けられる。また該拡張部（５０）は拡張片（５３）のすべての所に第一リング片（５３１）と第二リング片（５３２）が形成され、第一リング片（５３１）と第二リング片（５３２）によって弾力ソケット（５４）が位置限定される。上述の構造によって、プッシュ部材（４０）の円錐形表面（４１）と拡張片（５３）が互いに押し合うことを利用して、弾力ソケット（５４）は外管（２０）の雌ネジ（２３）に当てられ、外管（２０）と内管（１０）の長さを固定する。
【００１４】
図２及び図３は、杖の伸縮調節構造の組立を示す。該制御部材（６０）がグリップ（１１）の貫通孔（１１１）に挿し込まれ、連動棒（３０）のネジ部（３１）がある反対端を制御部材（６０）と結合させ、ストッパー（２２）を内管（１０）に嵌めさせ、そしてストッパー（２２）が嵌められている内管（１０）の端をグリップ（１１）にネジ止めさせることで、連動棒（３０）のネジ部（３１）が内管（１０）を貫通できるようになる。またバネ（４５）を連動棒（３０）に取り付け、プッシュ部材（４０）を穴（４４）によって連動棒（３０）に取り付けることで、バネ（４５）が支えパッド（３２）とプッシュ部材（４０）の間に設けられ、プッシュ部材（４０）の連結部（４２）によって内管（１０）の開口部に押し付けられて固定される。該拡張部（５０）は第一リング片（５３１）と第二リング片（５３２）の間に弾力ソケット（５４）が設けられ、拡張片（５３）がプッシュ部材（４０）の方向へ向けられることで、拡張部（５０）の軸穴（５１）を連動棒（３０）のネジ部（３１）に取り付ける。更にナット（５２）を該ネジ部（３１）にネジ止めすることによって、バネ（４５）、プッシュ部材（４０）及び拡張部（５０）が支えパッド（３２）とネジ部（３１）の間に位置限定され、最後に内管（１０）を該外管（２０）の滑り止めパッド（２１）がある反対端の開口部に挿し込んで固定する。拡張部（５０）は外管（２０）の雌ネジ（２３）の位置に収まり、ストッパー（２２）によって外管（２０）の開口部に固定されることで、内管（１０）の突起部（１２）がストッパー（２２）の支持部（２２１）に留まり、組立が完成する。
【００１５】
図１から図４は、実際の使用状況を示す。該杖はバネ（４５）の弾力性によってプッシュ部材（４０）と連動棒（３０）の支えパッド（３２）を押し付け、連動棒（３０）が常にグリップ（１１）の方向へ引っ張られるため、拡張部（５０）の拡張片（５３）が該プッシュ部材（４０）の円錐形表面（４１）を押し付ける。また円錐形表面（４１）によって拡張片（５３）が外に向けて拡張されて、弾力ソケット（５４）が外管（２０）の雌ネジ（２３）に接触する。使用者が杖で歩行を補助する場合、使用者が体の重心を杖のグリップ（１１）に移すため、グリップ（１１）が重力を内管（１０）へ伝える。拡張部（５０）の弾力ソケット（５４）が外管（２０）の雌ネジ（２３）に当たるため、該プッシュ部材（４０）の円錐形表面（４１）は内管（１０）側の力によって下へと下がり、プッシュ部材（４０）は該拡張部（５０）の拡張片（５３）をより押し開く。即ちより多くの力をグリップ（１１）に掛けると、弾力ソケット（５４）と雌ネジ（２３）間の密着度が上がり、更に雌ネジ（２３）のざらざらした紋様と弾力ソケット（５４）の本体の弾力性によって、雌ネジ（２３）と弾力ソケット（５４）間の摩擦抵抗が有効に増加し、杖の走行補助機能を果たし、補助安全性が高められる。
【００１６】
使用者が杖を長くしたい時は、図１から図５に示すように、使用者が片手でグリップ（１１）または内管（１０）を握って、反対側の手で外管（２０）または滑り止めパッド（２１）を握るだけで、直接力が掛かって内管（１０）、外管（２０）を外へと伸ばすことができ、余計な回転または押す動作をする必要なく、杖を長くする目的が達成できる。より詳しく伸ばす状況を説明すると、該内管（１０）、外管（２０）を伸ばす時、該内管（１０）は直接プッシュ部材（４０）を連帯して拡張部（５０）より離れ、該拡張部（５０）は外管（２０）の雌ネジ（２３）の摩擦抵抗によって、プッシュ部材（４０）と拡張部（５０）が離れた状態になる。更にプッシュ部材（４０）の円錐形表面（４１）は該拡張片（５３）を押し付けないため、弾力ソケット（５４）は外管（２０）の雌ネジ（２３）に当たることなく、スムーズに外管（２０）と内管（１０）を伸ばせる。また、どのような長さに調節するかは問わず、手を放した時は該バネ（４５）が連動棒（３０）の支えパッド（３２）を押して動かし、拡張部（５０）は再度プッシュ部材（４０）を押し付けることができるため、内管（１０）、外管（２０）の長さが固定される。使用者が階段を降りる際に支える補助は、簡単かつ楽に引き伸ばして無段階に長さが調節できるため、使用者は身長と階段に合わせて適切な長さに調節でき、補助使用の利便性が高くなる。また、使用者が杖の長さを短くしたい時は、図６及び図７に示すように、片手でグリップ（１１）を握りながら制御部材（６０）のハット部（６０１）を押し、反対側の手は外管（２０）を握りながらグリップ（１１）の方に向かって力を掛けて押し付ける。この時、該制御部材（６０）は連動棒（３０）を動かして滑り止めパッド（２１）側へと位置移動でき、プッシュ部材（４０）の円錐形表面（４１）と拡張部（５０）の拡張片（５３）が離れ、弾力ソケット（５４）と雌ネジ（２３）を未接触の状態にさせ、内管（１０）と外管（２０）は無圧力状態であるため、杖を短くする目的が達成できる。更にプッシュ部材（４０）の円錐形表面（４１）は軸方向に該拡張片（５３）より離れるため、拡張片（５３）と弾力ソケット（５４）自身の収縮弾力性に合わせて、使用者が容易に該制御部材（６０）を操作でき、簡単かつ楽に長さを縮ませる。また該杖は短くした後は階段を上る際に適し、使用者は腕の長さと階段の高さに合わせて、速やかに適切な長さに調節できる。或は座った状態から立ち上がりたい場合、使用者は短くした杖を使って支えられながら立ち上がることを補助できる。上述のように実際の使用状況から、本考案の杖は簡単かつ楽に伸縮調節機能を備え、使用者が容易かつ速やかに適切な長さに調節でき、力が弱い人と手際が良くない老人に適し、使用の利便性が高くなる。
【００１７】
図８及び図９は、本考案のもう一つの実施例を示す。該内管（１０）はグリップ（１１）に近い一端に溝（１３）を設け、該制御部材（６０）は栓（６１）、ソケット（６２）、と柄（６３）を含み、該栓（６１）と連動棒（３０）はネジ固定される。該柄（６３）は鞘（６４）によってソケット（６２）に枢設される。またソケット（６２）が内管（１０）の溝（１３）の位置に取り付けられることによって、柄（６３）の一端が溝（１３）へ挿し込まれて栓（６１）に当てられる。該杖を短くしたい時、使用者が片手で該柄（６３）を引っ張り、柄（６３）がソケット（６２）の鞘（６４）を軸心振動させ、柄（６３）のもう一端が栓（６１）に押し付け、栓（６１）が連動棒（３０）と同時に位置移動でき、柄（６３）がレバー式で該連動棒（３０）を動かせ、簡単かつ楽に杖の伸縮調節機能が操作できる。
【００１８】
以上は、本考案の良い実施例の一部に過ぎないため、本考案の実施範囲を制限されるものではない。即ち、本実用新案登録請求の範囲内で行われる変化、修飾なども本考案の範囲内に属すべきである。
【符号の説明】
【００１９】
１０        内管
１１        グリップ
１１１      貫通孔
１２        突起部
１３        溝
２０        外管
２１        滑り止めパッド
２２        ストッパー
２２１      支持部
２３        雌ネジ
３０        連動棒
３１        ネジ部
３２        支えパッド
４０        プッシュ部材
４１        円錐形表面
４２        連結部
４２１      軸方向凹溝
４３        リング部
４４        穴
４５        バネ
５０        拡張部
５１        軸穴
５２        ナット
５３        拡張片
５３１      第一リング片
５３２      第二リング片
５４        弾力ソケット
６０        制御部材
６０１      ハット部
６１        栓
６２        ソケット
６３        柄
６４        鞘
７０        杖
７１        主軸
７２        支軸
８０        伸縮位置決め構造
８１        スリーブ
８１１      雄ネジ部
８１２      支持部
８２        拡張作動部
８２１      弾性爪部
９０        円錐形台座
【図１】
0003199705.tif 000003
【図２】
0003199705.tif 000004
【図３】
0003199705.tif 000005
【図４】
0003199705.tif 000006
【図５】
0003199705.tif 000007
【図６】
0003199705.tif 000008
【図７】
0003199705.tif 000009
【図８】
0003199705.tif 000010
【図９】
0003199705.tif 000011
【図１０】
0003199705.tif 000012
【図１１】
0003199705.tif 000013